(57)【特許請求の範囲】
【請求項１】
組織サンプルを準備するための組織採取ボードであって、前記組織採取ボードは、
上部切り取り表面を有した切り取りボードと、
前記切り取りボード内に形成され、前記切り取りボードの前記上部切り取り表面から下方に延び、且つ前記切り取りボードの前記上部切り取り表面と本質的に平行となる下部組織受入れ表面を有する組織受入れ凹み部と、
前記上部切り取り表面に対して本質的に平行な組織切り口を作成し、一つのサンプルから他のサンプルに、本質的に均一で、再現できるような厚みを持った組織採取の組織サンプルを作り出すために、前記切り取りボードに取り付けられて前記組織受入れ凹み部から側方に間隔を空けて配置され、組織切り取りナイフを受入れるような形状となり、且つ前記切り取りボードの前記上部切り取り表面に全体的に刃部が保持されるような形状となっているスリット又は隙間を有する少なくとも一つのナイフ案内部と、
を備えることを特徴とする組織採取ボード。
【請求項２】
前記下部組織受入れ凹み部の深さは、調整可能であることを特徴とする請求項１に記載の組織採取ボード。
【請求項３】
前記組織受入れ凹み部内に配置された可動挿入部材を備え、前記可動挿入部材の上部表面が、前記組織受入れ凹み部の前記下部組織受入れ表面を形成することを特徴とする請求項２に記載の組織採取ボード。
【請求項４】
前記可動挿入部材の下部表面を支持するねじ部材を備え、該ねじ部材は、前記組織受入れ凹み部内で、該組織受入れ凹み部の深さを減少させるために前記可動挿入部材を上昇させ、前記組織受入れ凹み部内で、前記凹み部の深さを増加させるために前記可動挿入部材を下降させるまたは下降することを特徴とする請求項３に記載の組織採取ボード。
【請求項５】
前記ねじ部材は、前記切り取りボード内に配置され、前記切り取りボードと相対的に回転可能であり、前記切り取りボードに対する前記ねじ部材の回転によって、前記切り取りボードに対して前記ねじ部材が軸方向または並進運動の方向に動くことを特徴とする請求項４に記載の組織採取ボード。
【請求項６】
前記ねじ部材は、前記切り取りボードの前記上部切り取り表面と反対側にある前記切り取りボードの表面に対して回転することにより、前記切り取りボードに接近可能となるボルトであることを特徴とする請求項５に記載の組織採取ボード。
【請求項７】
前記ねじ部材は、ねじの切られた棒部と、固定的に接続された指動輪部と、を有しており、該指動輪部によって、ねじの切られた棒部は、前記切り取りボードと相対的に回転するようなになっていることを特徴とする請求項５に記載の組織採取ボード。
【請求項８】
前記ねじ部材は、前記切り取りボードに関連して回転可能に取り付けられており、前記組織採取ボードは、前記ねじ部材とねじ係合状態で前記ねじ部材が貫通した指動輪をさらに備えており、前記指動輪は前記切り取りボードと相対的に回転自在であり、前記ねじ部材と相対的に前記指動輪が回転することによって、前記ねじ部材が前記切り取りボードに対して軸方向にまたは並進運動の方向に動くことを特徴とする請求項４に記載の組織採取ボード。
【請求項９】
第一及び第二のナイフ案内部が互いに本質的に平行に延在しており、前記第一のナイフ案内部は、水平方向に前記刃部を保持するために形成された少なくとも１つのスリットを有して構成され、
前記第二のナイフ案内部は、前記上部切り取り表面と、該上部切り取り表面に本質的に平行である第二のナイフ案内部の底部との間に形成された隙間を有して構成され、
それにより、前記刃部は、前記少なくとも１つのスリットと前記隙間の両方を通って、挿入されることを特徴とする請求項８に記載の組織採取ボード。
【請求項１０】
少なくとも一つの前記ナイフ案内部は、前記切り取りボードの作業側に取りつけられたプレートを含み、
該プレートは前記切り取りボードの切り取り表面の上に伸びたプレートであり、該部レートは、前記プレート内に形成され、前記切り取り表面と略平行に伸びたナイフ受入れスリットを有したプレートであり、
前記ナイフ受入れスリットは、組織切り取りナイフが前記切り取りボードの切り取り表面と相対的に上に重なって貫通することができる隙間を形成するように配置されていることを特徴とする請求項１に記載の組織採取ボード。
【請求項１１】
少なくとも１つの前記ナイフ案内部は、レール部材を有し、該レール部材は、前記切り取りボードの前記切り取り表面に対して間隔をあけて平行に取りつけられており、
組織切り取りナイフが前記切り取りボードの切り取り表面と相対的に上に重なって貫通することができるようなナイフ受け入れのために画定された隙間の量に従って、前記レール部材は、前記切り取りボードの切り取り表面から間隔があいてることを特徴とする請求項１に記載の組織採取ボード。
【請求項１２】
前記切り取りボード内に形成されたプレート受入れ凹み部に取りつけられた支持プレートを有し、該支持プレートは、前記切り取り表面に形成された上に向いた面と、前記支持プレート内に、前記組織受入れ凹み部を取巻く壁面を形成した穴部と、有することを特徴とする請求項１に記載の組織採取ボード。
【請求項１３】
少なくとも一つの前記ナイフ案内部は、前記切り取りボードの作業側に取りつけられたプレートを備え、
該プレートは前記切り取りボードの切り取り表面の上に伸びたプレートであって、前記プレート内で形成され、前記切り取り表面に略平行に伸びたナイフ受入れスリットを有したプレートであり、
前記ナイフ受入れスリットは、前記組織切り取りナイフが前記切り取りボードの切り取り表面と相対的に上に重なって貫通することができる隙間を形成するような配置となり、
前記組織採取ボードは、前記切り取りボード内に形成されたプレート受入れ凹み部に取りつけられた支持プレートをさらに有しており、該支持プレートは、前記切り取り表面に形成された上に向いた面と、前記支持プレート内に、前記組織の受入れ凹み部を取巻く壁面を形成した穴部と、を有し、
前記支持プレートは、ナイフ受入れスリットを貫通した前記ナイフの挿入を促すために、前記ナイフが前記ナイフ受入れスリットを通じて接近可能な面取り部または傾斜部を有する、
ことを特徴とする請求項１に記載の組織採取ボード。
【請求項１４】
複数の組織受入れ凹み部を含むことを特徴とする請求項１に記載の組織採取ボード。
【請求項１５】
前記複数の組織受入れ凹み部は、異なる深さを有することを特徴とする請求項１３に記載の組織採取ボード。
【請求項１６】
前記複数の組織受入れ凹み部は、異なる長さ、異なる幅を有することを特徴とする請求項１３に記載の組織採取ボード。
【請求項１７】
前記切り取りボードよりもよりやわらかな材料から形成された少なくとも一つの挿入物を有し、少なくとも１つの前記挿入物が、前記上部切り取りボードに形成された対応する少なくとも一つの挿入物受入れ凹み部に配置されていることを特徴とする請求項１に記載の組織採取ボード。
【請求項１８】
少なくとも１つの前記挿入物はコルクから形成されていることを特徴とする請求項１７に記載の組織採取ボード。
【請求項１９】
組織サンプルを準備するための組織採取ボードであって、前記組織採取ボードは、
上部切り取り表面を有した切り取りボードと、
前記切り取りボード内に形成され、前記切り取りボードの前記上部切り取り表面から下方に延びた組織受入れ凹み部であって、前記切り取りボードの前記上部切り取り表面と本質的に平行となる下部組織受入れ表面を有し、少なくとも４ｍｍ未満の深さを有した組織受入れ凹み部と、
相互に離間して組織受入れ凹み部の各側部から側方に間隔を空けて前記切り取りボードに取り付けられており、前記上部切り取り表面と本質的に平行な方向に組織切り取りナイフを引くように、該組織切り取りナイフの刃部を案内するよう構成されたスリット又は隙間を有する第一及び第二のナイフ案内部と、を備えていることを特徴とする組織採取ボード。
【請求項２０】
請求項１〜１９のいずれかに記載の組織採取ボードの使用方法であって、
（ａ）組織受け入れ凹み部に組織サンプルを配置し、
（ｂ）１またはそれ以上のナイフ案内部に組織切り取りナイフの刃部を挿入し、
（ｃ）前記組織採取ボードの上部表面に、本質的に平行な方向に、前記組織サンプルを貫通するように前記刃部を引く
ことを特徴とする使用方法。
【発明の詳細な説明】
【０００１】
発明の分野
本発明は、組織サンプルの準備に使用される器具で、特に、望ましくは均一に薄い組織のスライスを準備するための組織採取ボードに関する。
【０００２】
発明の背景
病理学の分野において、加工処理、顕微切片作成法、体紋及び組織病理学的分析のために、薄切りにした組織のサンプルを準備することはよくある。「組織採取（GROSSING）」という語句は、例えば0.5〜4ｍｍほどの厚みの比較的に薄い組織サンプルを作成する作業ないしはその準備で言及される。これは、3〜10μm程度の極めて薄い組織サンプルが準備される顕微切片作成法と対比される。
【０００３】
例えば、種々の標本を組織採取するような、様々な組織サンプルから比較的に薄いスライスを準備しようとするとき、組織の加工方法を標準化するような装置を設けることと同様に、可能な限り組織のスライス厚みを絶対的に均一にするということが重要である。
【０００４】
発明の概要
本発明は、所望する厚みからなる組織採取サンプルの準備を容易にする組織採取ボードを提供する。目的として、本発明は、その中に形成するひとつもしくはそれ以上の組織受入れ凹み部を有した組織採取ボードを提供する。この凹み部は、組織採取ボードの切り取り表面である上部から下方に延びており、凹み部底面は、切り取り表面と平行である。ナイフ案内組立体は、組織採取ボードの表面に沿ってナイフ又は解剖用のメスの案内を提供しているので、これによって本質的には、均一な厚みをもった組織採取サンプルを作り出す。
【０００５】
他の実施形態では、ナイフ案内組立体は、穴があいた金属プレートを特徴としており、そのプレートは組織採取ボードの一端に取り付けられており、その穴部は、組織採取ボードの切り取り表面である上端に沿って伸びた穴と、穴があいた金属プレートに関して内側の方向（例えば、組織採取ボードの中心部に向かった方向）に位置付けられた金属のロッドまたはバーを有している。金属のロッドまたはバーは、病理学者のナイフの刃部がその下に嵌り込むことが可能となるように組織採取ボードの切り取り表面の僅かに上側の位置に取り付けられている。組織受入れ凹み部は、穴があいた金属プレートと金属のロッドまたはバーとの間に位置付けられることが望ましく、前記ロッドまたはバーは、穴のあいた金属プレートが取り付けられた組織採取ボードの端部に対して平行に延びる、すなわち、穴のあいた金属プレートに平行に延びることが望ましい。
【０００６】
他の望ましい実施形態では、複数の組織受入れ凹み部を備えている。この種々の組織受入れ凹み部は、異なった厚みの組織サンプル作り出すような異なった深さと、様々な大きさの組織標本に適応するような異なった断面領域とを有する。
【０００７】
次に、本発明について、以下に、添付の図面を用いてより詳しく関連付けて説明する。
【０００８】
発明の詳細な説明
図１から図４を参照すると、本発明による組織採取ボード１０は、本質的に平らな切り取り表面１４を有した比較的に平らな切り取りボード１２と、切り取り表面１４と本質的に平行である図５に示す下面１５と、側面１８、２０、２２および２４を有する。切り取りボードはポリプロピレン、ポリテトラフルオロエチレン（テフロン（登録商標））、その他のプラスチック製材料のような付着し難い材料、汚れ難い材料から作られることが望ましい。いかなる適切な材料も切り取りボードとして使用してもよい。
【０００９】
組織受入れ凹み部２６は、例えば３箇所あり、それらは切り取りボード内に備えられている。組織受入れ凹み部の各々は、切り取り表面１４と本質的に平行である下部表面２８を形成しており、その表面によって、本質的に均一な深さをもった組織受入れ凹み部を備える。下部表面２８は、織物状であり、例えば、穴があいた平らな板、食べ物用の下ろし金で使われるようなあばた状の金属のような織物状であることが望ましく、これは、下記に示すように組織採取のために、そこに置いた組織の塊が、組織採取がより困難になるようなスリップを起こさないようにするためである。望ましくは、組織受入れ凹み部は、例えば0.5ｍｍから4.0ｍｍ程度の深さまで変化し、提供された組織受入れ凹み部各々すべてが、組織の厚みを所望された厚みとその厚み精度との範囲に依存するように望ましい厚さに増加または、変化する。望ましくは組織受入れ凹み部は、様々な大きさの組織サンプルの大部分に適用させるために、15ｍｍ毎に25ｍｍ程度から、25ｍｍ毎に30ｍｍ程度まで、断面領域は変化する。他にも、より大きいまたは、より小さい凹みを用いてもよい。
【００１０】
図１〜図４に示すように、組織受入れ凹み部は、例えば側面１８のような側面の１つに隣り合った面に形成されることが望ましく、この側面は、組織採取ボードの側面であり、作業する側面として言い表せる。ナイフ案内組立体３０は、作業する側面近くの切り取りボードに備えられている。特に、平らな金属（望ましくはステンレス鋼）からなる支持プレート３２は、例えばねじのように締め具３４のような手段によって、切り取りボードの切り取り表面に保持されている。組織サンプルを採取する際に、支持プレートは、組織採取用のナイフまたはメスを支持する表面を備えている。支持プレートの上面は、切り取りボードの切り取り表面と面一の状態であり、前記切り取りボードは、支持プレート３２が嵌合するような刳貫き部３５を備えることによって形成される。組織受入れ凹み部２６は、刳貫き部３６によって形成されており、前記刳貫き部は、少なくとも支持プレートを部分的に貫通して伸びる正方形または長方形の開口部であり、且つ切り取り表面に形成された組織受入れ凹み部２６と一般的には合同である。
【００１１】
第１のナイフ案内部３８は、例えばねじのように締め具４０のような手段によって組織採取ボードの作業する側の側面に取り付けられている。ひとつの実施形態には、第１のナイフ案内部３８は平板のステンレス鋼から形成されており、列をなしたスリット４２（もしくは他の場合には単一のスリット）を前記案内部に有しており、前記スリット４２は、図５に示すような切り取りボード１２の切り取り表面１４と一般的に同じ高さに位置付けられている。スリット４２は、標本の組織採取の準備に使用される代表的な解剖又は組織採取用のナイフの厚みよりも若干厚いほうが望ましい。
【００１２】
第２のナイフ案内部４４は、第１のナイフ案内部３８と距離を置いて組織採取ボードに取り付けられており、前記案内部４４は、第１のナイフ案内部３８と平行に延びていることが望ましい。特に、第２のナイフ案内部は、ステンレス鋼のバーまたはロッドが望ましく、例えば支持プレート３２の上部表面と金属バーまたはロットの底部との間にナイフの刃を受入れる隙間が形成されるように組織採取ボードの僅か上部に固定されている。前記隙間の形成するには、支持プレートとバー又はロッドとの間に配置された（例えば取り付けられたボルト周辺に備えれられたワッシャのような）シム又はスペーサのような手段が有効であるかもしれない。
【００１３】
他の実施形態では、第１のナイフ案内部３８は、例えば、支持プレート表面の僅か上部に位置し、その下方でナイフ受入れギャップを形成するために第２のナイフ案内部４４のような形をしたバー又はロッドを備えることも可能である。さらに、本発明は、切り取りボードの作業側面もしくはその近くにあり、上記に述べた第１のナイフ案内部もしくは、その内側にある第２のナイフ案内部のように取り付けられた単一のナイフ案内部をもって作業することも可能であるということも考えられるであろう。
【００１４】
取り外し可能な挿入物４８は、組織採取ボードの切り取り表面に、フライス削りなどによって形成された刳貫き部５０に嵌合し備えられている。以下により詳しく表した図６に示すような実施形態において、追加の挿入物４８´と刳貫き部５０´を備えてもよい。追加の挿入物４８´は挿入物４８と側面２０との間で、切り取りボード１２に関して中心から外れて位置付けられる。さらに追加した挿入物と同様に、挿入物４８と４８´は、他の配置も考えられる。前記挿入物は、コルク、ゴム、歯科用パラフィンワックスもしくは、切り取りボードの素材よりも柔らかいその他の適切な材料から作られてもよい。挿入物の上部表面は、切り取りボードの切り取り表面と面一であることが望ましい。標本となる組織の塊からより小さいサンプルを切り出せるように、前記挿入物は便利な表面を備える。そして切り取りボードのプラスチック材よりもかなり柔らかい材料で作られているので、病理学者のナイフが、組織の切り口から挿入物に進むより組織の切り口から切り取りボードに進むほうが、より刃が鈍る時間は速い。
【００１５】
本発明による組織採取ボードの使用方法が、図２〜図４に示されている。特に、病理学者が、組織の塊から、例えば1.0cm×1.0cm×0.5cm程度のより小さ割合に一度切り出すと、彼らは、選択された組織受入れ凹み部に前記の小さな組織サンプルを置き、図２及び図３に示すように、望ましくは透明なアクリルできた組織押さえ５２（サンプルが押さえを通して見えるくらい透明なアクリル）を使うことにより、その組織を確実に押さえ込む。病理学者が組織採取ナイフ５４の刃部を適切なスリットまたは、第１のナイフ案内部３８にあるスリット部４２を通して挿入し、かつ、第２のナイフ案内部の下部と支持プレート３２の上部との間に形成された隙間を通して挿入し、そして滑らかで平らな切り口にするために組織押さえ５２の脚部の下側において、ナイフを前後に引くことによって図３に示すように組織サンプルを切り取る。このことは、組織受入れ凹み部の下部表面２８に保持された組織サンプルの底面に平行となる比較的に平らな表面を作り出す。このような手法によって、均一の所望された厚みを持った組織採取の組織サンプルが提供される。
【００１６】
もし、特に病理学者が、特に熟練した人なら、図４に示すような組織押さえを利用しなくとも、このような手順を遂行することは可能であろう。例えば、組織サンプルの上部表面から剥ぎ取るようなより薄い組織の採取作業を行った場合、及び組織押さえに押さえ込まれる組織の厚みよりも本質的に薄い組織が存在する場合のように、組織採取するサンプルがすでに比較的に薄い場合は、上記の手順は完了したとしてもよい。
【００１７】
図６及び図７に示す他の実施形態によると、個々の組織受入れ凹み部１２６の深さは、調整可能であってもよい。特に図７に示すように、組織採取ボードは刳貫き部1３６内に配置された調整可能な挿入部材１６６を備えてもよい。図７に示すように、挿入部材１６６は個々に支持された昇降部１６８と前記昇降部１６８の低部から延びた円柱部１７０とを含む。刳貫き部１３６は、支持された昇降部１６８に隙間なく嵌合する第１の長方形溝１７２を有し、円柱部に嵌合する円筒穴部１７４を有するような段つき形状を有する。雌ねじ部１７６は、切り取りボード１１２の底面１１５と隙間のない穴部１７４の底面１７８との間に延びている。例えば、ボルトのようなねじ部材１８０は、挿入部材１６６の底面１８２に当接及び支持するように雌ねじ部１７６に捩じ込まれる。このような手法で、切り取り表面１１４に関連した挿入部材１６６の垂直方向は、刳貫き部１３６内の挿入部材１６６を上昇または下降させるように、ねじ部材１８０を回転させることにより変化させる。また前に記載されているように、ねじ部材１８０はボルトでもよく、また病理学者によって手動で調整可能なような凹凸のついたノブなどを有してもよい。
【００１８】
図８から図１１に示すような他の組織採取ボードの実施形態では、凹み部２２６の深さを調整することを可能にする。特に、指動輪２８４は挿入部材２６６の上昇または下降に使われる。指動輪部２８４は、ポケット２００内に入っており、前記ポケットは、実質的には切り取りボード２１２内に形成され、側面２１８に開けられた長方形溝であり、中心には雌ねじ２８６を有する。指動輪２８４は、案内部３８に延びることが可能となるように、図８、図１０、及び図１１に示すように、第１のナイフ案内部３８に長方形の溝穴１０２が形成されている。指動輪２８４は、外側の外周縁に該指動輪２８４が手動で操作できるように（図１１で示すような）凹凸がついたものもしくは円周方向に間隔を持って配置されたリブ有して形成されることが望ましい。
【００１９】
ねじ部材２８８は雌ねじ部２８６に貫通して延びている。ねじ部２８８は雌ねじ部２８６と係合するねじの切られた棒部２９０を含み、その上部には、非円形のキー構造を有した支持部２９２を含む。前述の実施形態では、刳貫き部２３６は、第１の溝２９４と円筒穴２９６からなる段付き形状を有しており、前記第１の溝２９４内で、挿入部材の昇降部２６８が嵌合し、前記円筒穴２９６内で、挿入部材の柱部２７０と嵌合する。さらに、刳貫き部２３６は、非円形の開口部２９８を含み、開口部２９８の外形は、キー形状をもって刳貫き部に受入れられるために、ねじ部材２８８の上部２９２を非円形にすることにより嵌合する。非円形の開口部２９８とねじ部２８８の上部２９２とが、前記ねじ部２８８が切り取りボード１１２と相対的に回転しないように噛み合っている。指動輪１８４を貫通して下に延びているねじ部材の一部２８８は、ポケット２００と切り取りボード２１２の下部表面２１５との間に延びた穴２０４（ポケット２００よりもより小さな断面）に配置されている。
【００２０】
指動輪２８４を回転させたとき、非円筒の開口２９８とねじ部材２８８の上部２９２とがキー構造の関係となっているため、ねじ部材２８８が切り取りボード２１２に対して相対的に回ることを妨げられる。それゆえに、指動輪２８４は、ねじ部材２８８と相対的に回転し、ねじ部材２８４は、垂直方向に動き、挿入部材２６６を上昇または下降させる。ゆえに、凹み部２２６の深さは、指動輪２８４の回転によって、病理学者によって簡単に調整可能となる。
【００２１】
本発明の他の特徴が図１０および図１０Ａに示されている。図に示すように、支持プレート２３２の外端部４１６はその内部に形成された傾斜部４１８を有している。傾斜部４１８は外端部４１６内に位置付けられ、組織受入れ凹み部２２６に対して傾斜を持っている。傾斜部４１８は、対応するスリット４２を貫通する刃の挿入口を設けるような外端部４１６内に形成された斜面または面取り部を含んでもよい。
【００２２】
本発明による組織採取ボードの他の実施形態は、図１２と図１３に示されている。この実施形態において、ねじ材部３０６は、完全な指動輪部３０８を含む。溝３１０は切り取りボード３１２の下部表面３１５内に備えられており、切り取りボード３１２内の溝３１０に、ねじ材部３０６の指動輪部３０８が配置されている。挿入部材３６６は、刳貫き部３３６内に嵌合する。雌ねじ部３１２は、刳貫き部３３６と溝３１０との間に延びている。ねじ部材３０６のねじ部３１４は、雌ねじ部３１２を通して捩じ込みながら延びている。図８、図１０及び図１１に示す実施形態を参照すると、指動輪部３０８は、指動輪部３０８の手動調整を設けるために、外側の縁部に凹凸がついたもの、又は１つ置きに配置したリブを備えてもよい。
【００２３】
指動輪部３０８の反対側にある、ねじ部材３０６の端は、挿入部材３６６の底面３８２の当接及び支持している。指動輪部３０８が回転すると、挿入部材３６６は、ねじ部材３０６によって上昇または下降する。
【００２４】
本発明の他の実施形態は、当業者よって考えられるであろう。これら及び他の実施形態は、前述した請求の範囲の範囲内にあると考える。
【図面の簡単な説明】
【図１】  本発明による組織採取ボードの第一実施形態の斜視図である。
【図２】  本発明による組織採取ボードの第一実施形態の斜視図である。
【図３】  本発明による組織採取ボードの第一実施形態の斜視図である。
【図４】  本発明による組織採取ボードの第一実施形態の斜視図である。
【図５】  図１〜図４に示された組織採取ボードの作業側の側面図である。
【図６】  本発明による組織採取ボードの他の実施形態の平面図である。
【図７】  図６に示す線７−７に沿って切り取られた断面図である。
【図８】  本発明による組織採取ボードの更に他の実施形態の平面図である。
【図９】  図８に示す線９−９に沿って切り取られた断面図である。
【図１０】  図８に示す組織受入れ凹み部の詳細な平面図である。図１０Ａは、図１０に示す線１０Ａ−１０Ａに沿って切り取られた断面図である。
【図１１】  図１０に示す組織採取ボードの組織受入れ凹み部の拡大した側面図である。
【図１２】  本発明による組織採取ボードの更に他の実施形態の平面図である。
【図１３】  図１２に示す線１３−１３に沿って切り取られた断面図である。
【符号の説明】
１０  組織採取ボード
１２  切り取りボード
１４  切り取り表面
２６  組織受入れ凹み部
３０  支持プレート
３８  第１のナイフ案内部
４４  第２のナイフ案内部
４８  挿入物
５２  組織押さえ
５４  組織採取ナイフ
【図１】
0004441174.tif 000002
【図２】
0004441174.tif 000003
【図３】
0004441174.tif 000004
【図４】
0004441174.tif 000005
【図５】
0004441174.tif 000006
【図６】
0004441174.tif 000007
【図７】
0004441174.tif 000008
【図８】
0004441174.tif 000009
【図９】
0004441174.tif 000010
【図１０】
0004441174.tif 000011
0004441174.tif 000012
【図１１】
0004441174.tif 000013
【図１２】
0004441174.tif 000014
【図１３】
0004441174.tif 000015